(57)【特許請求の範囲】
【請求項１】
突出部及び前記突出部の突出方向に突き出す当付部を有する押圧部材と、
厚さ方向に貫通する開口部を備える支持部材と、
前記突出部の先端部を覆い、前記突出部により押圧されて弾性変形し前記開口部の内側を前記支持部材の厚さ方向に進退する作動部を有し、前記開口部を覆うように前記支持部材に載置される弾性部材と、
前記支持部材と前記弾性部材との間であって、前記突出方向の垂直方向において前記当付部よりも前記突出部に近い位置に前記開口部を取り囲むよう設けられる支持リブとを備える操作部材。
【請求項２】
前記突出部の先端部に対向して設けられるプッシュスイッチをさらに備え、
前記作動部に覆われた前記突出部は前記開口部の内側から突出し、前記押圧部材が押圧されたときに前記プッシュスイッチを押圧する請求項１に記載の操作部材。
【請求項３】
前記弾性部材と接触する前記当付部の角部が面取りされる請求項１に記載の操作部材。
【請求項４】
前記支持リブは前記弾性部材に設けられる請求項１に記載の操作部材。
【請求項５】
前記支持部材と接触する前記支持リブの角部が面取りされる請求項４に記載の操作部材。
【請求項６】
前記支持リブは前記支持部材に設けられる請求項１に記載の操作部材。
【請求項７】
前記支持リブにおいて前記弾性部材と接触する角部が面取りされる請求項６に記載の操作部材。
【請求項８】
前記押圧部材は前記突出方向に突出する支点部を備え、
前記弾性部材は前記支点部の先端部を覆う作動支点部を備え、
前記作動支点部は前記支持部材に当接し、前記押圧部材は前記作動支点部を支点として揺動自在に設けられ、
前記当付部は、前記押圧部材の揺動端の近傍に複数設けられ、
前記突出部は、前記突出方向の垂直方向において前記当付部よりも前記支点部に近い位置に設けられる請求項１に記載の操作部材。
【請求項９】
前記押圧部材は、
略円柱形状の押圧部と、前記押圧部からその軸方向に突出する前記当付部と、前記当付部の一部が前記押圧部の径方向に張り出して形成する張出部とを備える第２の押圧部材と、
筒形状であって、前記筒形状の軸方向に突出する複数の前記突出部と、前記押圧部の側面と遊嵌する内周面を備える第１の押圧部材とを備え、
前記内周面における前記突出方向の端部は前記張出部と係合する請求項１に記載の操作部材。
【請求項１０】
請求項１に記載の操作部材を備えるカメラ。
【発明の詳細な説明】
【技術分野】
【０００１】
本発明は、例えば携帯用機器に用いられる操作部材に関する。
【背景技術】
【０００２】
操作部材は例えばカメラを操作するための入力手段として用いられる。ユーザにより押圧された押圧部材はカメラ内部に設けられたプッシュスイッチを押圧して入力を行う。押圧部材とプッシュボタンとの間には弾性膜と支持部材が設けられる。弾性膜は押圧部材を支持し、支持部材は弾性膜を支持する。支持部材は開口部を備え、弾性膜は開口部に押圧部材が押圧方向に挿入されうるように押圧部材を支持する。開口部の開口面積を押圧部材が押圧方向に挿入されうる程度の大きさとすることにより、押圧部材を押圧することが可能となる。
【発明の開示】
【発明が解決しようとする課題】
【０００３】
しかし、開口部の開口面積を押圧部材が挿入されうる程度の大きさとすると、押圧部材ががたついて操作感が悪化することがある。
【０００４】
本発明はこの問題を解決するものであり、がたつきがなく、かつ押圧に対する反力が強すぎることのない良好な操作感を有する操作部材を得る。
【課題を解決するための手段】
【０００５】
本願第１の発明による操作部材は、突出部及び突出部の突出方向に突き出す当付部を有する押圧部材と、厚さ方向に貫通する開口部を備える支持部材と、突出部の先端部を覆い、突出部により押圧されて弾性変形し開口部の内側を支持部材の厚さ方向に進退する作動部を有し、開口部を覆うように支持部材に載置される弾性部材と、支持部材と弾性部材との間であって、突出方向の垂直方向において当付部よりも突出部に近い位置に開口部を取り囲むよう設けられる支持リブとを備えることを特徴とする。
【０００６】
操作部材は突出部の先端部に対向して設けられるプッシュスイッチをさらに備え、作動部に覆われた突出部は開口部の内側から突出し、押圧部材が押圧されたときにプッシュスイッチを押圧することが望ましい。
【０００７】
弾性部材と接触する当付部の角部は面取りされても良い。
【０００８】
支持リブは弾性部材に設けられても良く、支持部材と接触する支持リブの角部は面取りされても良い。
【０００９】
支持リブは支持部材に設けられても良く、支持リブにおいて弾性部材と接触する角部は面取りされても良い。
【００１０】
押圧部材は突出方向に突出する支点部を備え、弾性部材は支点部の先端部を覆う作動支点部を備え、作動支点部は支持部材に当接し、押圧部材は作動支点部を支点として揺動自在に設けられ、当付部は、押圧部材の揺動端の近傍に複数設けられ、突出部は、突出方向の垂直方向において当付部よりも支点部に近い位置に設けられることが好ましい。
【００１１】
押圧部材は、略円柱形状の押圧部と、押圧部からその軸方向に突出する当付部と、当付部の一部が押圧部の径方向に張り出して形成する張出部とを備える第２の押圧部材と、筒形状であって、筒形状の軸方向に突出する複数の突出部と、押圧部の側面と遊嵌する内周面を備える第１の押圧部材とを備え、内周面における突出方向の端部は張出部と係合するものであればなお良い。
【００１２】
本願第２の発明によるカメラは操作部材を備えることを特徴とする。
【発明の効果】
【００１３】
本発明によれば、がたつきがなく、かつ押圧に対する反力が強すぎることのない良好な操作感を有する操作部材を得ることができる。
【発明を実施するための最良の形態】
【００１４】
以下、本発明における操作部材の実施形態について添付図面を参照して説明する。
【００１５】
図１から図４を用いて操作部材の第１の実施形態について説明する。
【００１６】
操作部材である操作釦２００はカメラ１００の背面に取り付けられ、カメラ１００を操作するために用いられる。カメラ１００の外装からは操作釦２００の一部が突出し、ユーザはこれを押圧してカメラ１００を操作する。
【００１７】
操作釦２００は、カメラ１００の外装から露出してユーザにより押圧される押圧部材２１０と、押圧部材２１０のカメラ内部側に設けられ押圧部材２１０を支持する弾性部材２２０と、弾性部材のカメラ内部側に設けられ弾性部材を支持する支持部材２３０とから成る。
【００１８】
押圧部材２１０は、カメラの外部に露出する頂面２１１を有する押圧部２１２と、頂面２１１の裏側の底面２１５からカメラ１００の内部に向けて突出する釦軸２１３と、弾性部材に接触する当付部２１４とを備える。押圧部２１２は角部が落とされた直方体形状である。当付部２１４は底面２１５から弾性部材２２０の方向へ突出すると共に、押圧部２１２の周囲に張り出してフランジを形成する。押圧部２１２の側面は外装部材５００の穴部５１０の内側面と遊嵌し、外装部材５００に対する押圧部２１２の突出位置が規制される。フランジの頂面２１１側の面は穴部５１０の端部と係合可能であり、押圧部２１２が外装部材５００から突出する長さが規制される。
【００１９】
弾性部材２２０は板状の基部２２１を有する。基部２２１の中央には、釦軸２１３の先端部を覆い、釦軸２１３により押圧されて弾性変形することにより釦軸２１３と一体となって移動する作動部２２６が形成される。作動部２２６は、基部２２１の押圧部材２１０側の面の中央に形成される凹部２２５と、凹部２２５の反対側の面から、つまり支持部材２３０側の面から突出する凸部２２４とを有する。凸部２２４の周囲には、支持部材２３０側の面から突出し、方形の断面を有する支持リブ２２２が設けられる。基部２２１の外縁には外縁リブ２２３が設けられる。弾性部材２２０は支持リブ２２２と外縁リブ２２３とで支持部材２３０と接触して支持される。
【００２０】
支持部材２３０には開口部２３１が設けられる。支持部材２３０の外装部材５００側の面には、作動部２２６が開口部２３１と遊嵌するように弾性部材２２０が設けられる。支持リブ２２２は開口部２３１の周囲で支持部材２３０と接触する。外縁リブ２２３と支持部材２３０は超音波接合又は接着剤により接着される。
【００２１】
凸部２２４の先端と対向するようにプッシュスイッチ２４０が設けられる。プッシュスイッチ２４０は基板２４１に固定される。
【００２２】
支持リブ２２２と当付部２１４は押圧部材２１０の押圧方向において重ならないように設けられる。すなわち、釦軸２１３の軸心から当付部２１４内縁までの距離ｂは、釦軸２１３の軸心から支持リブ２２２外縁までの距離ａよりも長い。これにより、押圧部材２１０が押し下げられたとき、当付部２１４は支持リブ２２２からの弾性力を直接受けることがない。そのため、押圧部材２１０ががたつくことを防止しながら、押圧に対する抗力が強くなることを防止できる。
【００２３】
当付部２１４において弾性部材２２０と接触する面の角、及び支持リブ２２２において弾性部材２２０と接触する面の角は面取りされる。これにより、押圧部材２１０が押し下げられたときに、当付部２１４及び支持リブ２２２近辺の弾性部材２２０の変形角度を少なくすることができ、押圧に対する抗力が必要以上に強くなることを防止できる。また、弾性部材２２０が必要以上に変形しなくなるため、弾性部材２２０の寿命が延びる。
【００２４】
図４を用いて押圧部材２１０が押し下げられたときの操作釦２００の状態を説明する。押圧部材２１０が押し下げられると、当付部２１４は弾性部材２２０を押圧する。このとき、当付部２１４は支持リブ２２２よりも外側の弾性部材２２０を押し下げる。押圧部材２１０の釦軸２１３は弾性部材２２０と共にプッシュスイッチ２４０の方向に向けて押し下げられ、プッシュスイッチ２４０をオンにする。
【００２５】
本実施形態によれば、がたつきがなく、かつ押圧に対する反力が強すぎることのない良好な操作感を有する操作釦を得ることができる。
【００２６】
図５及び６を用いて第２の実施形態について説明する。第１の実施形態と同様の構成については説明を省略する。
【００２７】
本実施形態では、支持リブ３３２は支持部材３３０に設けられる。支持リブ３３２と当付部３１４は押圧部材３１０の押圧方向において重ならないように設けられる。すなわち、釦軸３１３の軸心から当付部３１４内縁までの距離ｂは、釦軸３１３の軸心から支持リブ３３２外縁までの距離ａよりも長い。
【００２８】
これにより、押圧部材３１０が押し下げられたとき、当付部３１４は支持リブ３３２からの弾性力を直接受けることがない。そのため、押圧部材３１０ががたつくことを防止しながら、押圧に対する抗力が強くなることを防止できる。
【００２９】
当付部３１４において弾性部材３２０と接触する面の角、及び支持リブ３３２において弾性部材３２０と接触する面の角は面取りされる。これにより、押圧部材３１０が押し下げられたときに、当付部３１４及び支持リブ３３２近辺の弾性部材３２０の変形角度を少なくすることができ、押圧に対する抗力が必要以上に強くなることを防止できる。また、弾性部材３２０が必要以上に変形しなくなるため、弾性部材３２０の寿命が延びる。
【００３０】
図６を用いて押圧部材３１０が押し下げられたときの操作釦３００の状態を説明する。押圧部材３１０が押し下げられると、当付部３１４は弾性部材３２０を押圧する。このとき、当付部３１４は支持リブ３３２よりも外側の弾性部材３２０を押し下げる。押圧部材３１０の釦軸３１３は弾性部材３２０と共にプッシュスイッチ３４０の方向に向けて押し下げられ、プッシュスイッチ３４０をオンにする。
【００３１】
本実施形態によれば、がたつきがなく、かつ押圧に対する反力が強すぎることのない良好な操作感を有する操作釦を得ることができる。
【００３２】
図１、図７及び図８を用いて第３の実施形態について説明する。第１の実施形態と同様の構成については説明を省略する。
【００３３】
押圧部材４１０は略長方形の頂面４１１をカメラの外部に露出し、頂面４１１の裏面４１５に設けられる支点部材４１６を支点として揺動する。
【００３４】
頂面４１１は、長手方向の中央から揺動端に向けて直線的に隆起する形状を有する。これにより、ユーザは揺動端を容易に押圧することが可能となる。
【００３５】
支点部材４１６を通り押圧部材４１０の幅方向に延びる直線を対称軸とする線対称の位置に第１の釦軸４１３ａと第２の釦軸４１３ｂが設けられる。第１の釦軸４１３ａ側の揺動端には第１の当付部４１４が、第２の釦軸４１３ｂ側の揺動端には第２の当付部４１８が設けられる。第１及び第２の当付部４１４、４１８は押圧部４１２から弾性部材４２０側に突出し、揺動端から周囲に向けて張り出す。
【００３６】
押圧部材４１０のカメラ内部側には弾性部材４２０が設けられる。弾性部材４２０は、第１及び第２の釦軸４１３ａ、４１３ｂ、及び支点部材４１６と各々嵌合する第１から第３の凹部４２１ａ、４２１ｂ、４２１ｃを備える。第１及び第２の凹部４２１ａ、４２１ｂは弾性部材４２０の裏面から突出して第１及び第２の凸部４２４ａ、４２４ｂを形成する。すなわち、第１及び第２の釦軸４１３ａ、４１３ｂの各先端部を覆う作動部４２６ａ、４２６ｂが夫々形成されている。第１の釦軸４１３ａに対応する第１の凸部４２４ａは第１の支持リブ４２２ａにより、第２の釦軸４１３ｂに対応する第２の凸部４２４ｂは第２の支持リブ４２２ｂよって取り囲まれる。第１及び第２の支持リブ４２２ａ、４２２ｂは支持部材４３０と接触して、弾性部材４２０を支持する。
【００３７】
第１及び第２の支持リブ４２２ａ、４２２ｂと第１及び第２の当付部４１４、４１８は押圧部材４１０の押圧方向に対して重ならないように設けられる。すなわち、第１及び第２の釦軸４１３ａ、４１３ｂの軸心から第１及び第２の当付部４１４、４１８内縁までのそれぞれの距離ｂは、第１及び第２の釦軸４１３ａ、４１３ｂの軸心から第１及び第２の支持リブ４２２a、４２２b外縁までの距離ａよりも長い。
【００３８】
第１及び第２の当付部４１４、４１８において弾性部材４２０と接触する面の角、及び第１及び第２の支持リブ４２２ａ、４２２ｂにおいて弾性部材４２０と接触する面の角は面取りされる。これにより、押圧部材４１０が押し下げられたときに、第１及び第２の当付部４１４、４１８及び第１及び第２の支持リブ４２２ａ、４２２ｂ近辺の弾性部材４２０の変形角度を少なくすることができ、押圧に対する抗力が必要以上に強くなることを防止できる。また、弾性部材４２０が必要以上に変形しなくなるため、弾性部材４２０の寿命、ひいては操作ボタンの寿命が延びる。
【００３９】
次に、押圧部材４１０が押し下げられたときの操作釦４００の状態を説明する。押圧部材４１０の第１の当付部４１４側の揺動端が押圧されると、押圧部材４１０は支点部材４１６を支点として揺動する。揺動端に設けられた第１の当付部４１４は弾性部材４２０を押圧する。押圧された弾性部材４２０は変形して押圧部材４１０に反力を加える。第１の釦軸４１３ａはプッシュスイッチ４４０ａを押圧する。第１の凸部４２４ａ周囲の弾性部材４２０は第１の釦軸４１３ａにより引っ張られて延びる。押圧部材４１０が押圧されなくなると、弾性部材４２０からの反力により第１の釦軸４１３ａはプッシュスイッチ４４０ａから離れ、押圧部材４１０はもとの位置に戻る。
【００４０】
本実施形態によれば、がたつきがなく、かつ押圧に対する反力が強すぎることのない良好な操作感を有するロッカースイッチ型の操作釦を得ることができる。
【００４１】
図１及び図９を用いて第４の実施形態について説明する。第１の実施形態と同様の構成については説明を省略する。
【００４２】
操作釦７００は、ドーナツ型の第１の頂面５１１を外部に露出する円筒形の第１の押圧部材７１０と、このドーナツ型の中央の穴から円形の第２の頂面６１１をカメラ１００の外部に露出する円柱形の第２の押圧部材６１０とを備える。
【００４３】
第１の頂面５１１には、円周方向に等間隔で第１１から第１４の刻印５１６ａ、５１６ｂ、５１６ｃ、５１６ｄが施される。第１１から第１４の刻印５１６ａ、５１６ｂ、５１６ｃ、５１６ｄに対応する位置には、第１から第４の釦軸５１３ａ、５１３ｂ、５１３ｃ、５１３ｄが設けられる。第２の押圧部材６１０には、第１の頂面５１１の裏面６１５の中心から突出する第５の釦軸６１７が設けられる。以下、第１及び第３の釦軸５１３ａ、５１３ｃを切断する断面を用いて説明する。第２及び第４の釦軸５１３ｂ、５１３ｄを切断する断面は第１及び第３の釦軸５１３ａ、５１３ｃを切断する断面と同形状であるため、説明を省略する。
【００４４】
第１及び第２の押圧部材７１０、６１０のカメラ１００内部側には弾性部材５２０が設けられる。弾性部材５２０は第１、第３及び第５の釦軸５１３ａ、５１３ｃ、６１７と互いに嵌合する第１、第３及び第５の凹部５２１ａ、５２１ｃ、５２８を備える。第１、第３及び第５の凹部５２１ａ、５２１ｃ、５２８は弾性部材５２０の裏面から突出して第１、第３及び第５の凸部５２４ａ、５２４ｃ、５２６を形成する。第１、第３及び第５の凹部５２１ａ、５２１ｃ、５２８の裏面が第１、第３及び第５の作動部５２５ａ、５２５ｃ、５２９を夫々形成する。第１、第３及び第５の凸部５２４ａ、５２４ｃ、５２６の周囲を取り囲むようにして第１、第３及び第５の支持リブ５２２ａ、５２２ｃ、５２７が設けられる。第１、第３及び第５の支持リブ５２２ａ、５２２ｃ、５２７は支持部材５３０と接触して弾性部材５２０を支持する。
【００４５】
第１の押圧部材７１０の外周側の底面５１５からは当付部５１４が弾性部材５２０側に突出する。当付部５１４は第１の押圧部材７１０の外周から突出してフランジを形成する。第２の押圧部材６１０の底面６１５からは当付部６１４が弾性部材５２０側に突出する。当付部６１４は第２の押圧部材６１０の外周から突出してフランジを形成する。第１の押圧部材７１０における内周側の底面は、第２の押圧部材６１０のフランジと係合する。第２の押圧部材６１０の外周面は、第１の押圧部材７１０の内周面と遊嵌する。
【００４６】
第１の釦軸５１３ａに対応する第１の凸部５２４ａは第１の支持リブ５２２ａにより取り囲まれ、第３及び第５の凸部５２４ｃ、５２６も同様にして第３及び第５の支持リブ５２２ｃ、５２７によって取り囲まれる。
【００４７】
次に、第１の押圧部材７１０が押し下げられたときの操作釦７００の状態を説明する。第１の押圧部材７１０において第１１の刻印５１６ａが押圧されると、第１１の刻印５１６ａの外周側に位置する当付部５１４は弾性部材５２０を押圧する。押圧された弾性部材５２０は変形して第１の押圧部材７１０に反力を加える。第１１の刻印５１６ａに対応する第１の釦軸５１３ａは第１のプッシュスイッチ５４０ａを押圧する。第１の釦軸５１３ａが嵌合する第１の凹部５２１ａ周囲の弾性部材５２０は第１の釦軸５１３ａにより引っ張られて延びる。第１の押圧部材７１０が押圧されなくなると、弾性部材５２０からの反力により第１の釦軸５１３ａは第１のプッシュスイッチ５４０ａから離れ、第１の押圧部材７１０はもとの位置に戻る。
【００４８】
第２の押圧部材６１０が押し下げられると、第１の押圧部材７１０は動作せず、第２の押圧部材６１０に設けられる当付部６１４が弾性部材５２０を押圧する。このとき、当付部６１４は第２の支持リブ５２７の外周側の弾性部材５２０を押し下げる。第５の釦軸６１７は弾性部材５２０と共に第５のプッシュスイッチ６４０の方向に向けて押し下げられ、第５のプッシュスイッチ６４０をオンにする。
【００４９】
本実施形態によれば、多数のプッシュスイッチの押圧を可能にしながら、がたつきがなく、かつ押圧に対する反力が強すぎることのない良好な操作感を有する操作釦を得ることができる。
【００５０】
なお、当付部及び支持リブの角部の面取りはその断面において直線ではなく、曲面により構成されても良い。
【図面の簡単な説明】
【００５１】
【図１】第１の実施形態によるカメラの斜視図である。
【図２】操作釦の分解斜視図である。
【図３】図１のIII−III線における操作釦の断面図である。
【図４】図１のIII−III線における操作釦が押圧されたときの断面図である。
【図５】第２の実施形態による操作釦の図１のIII−III線での断面図である。
【図６】図１のIII−III線における操作釦が押圧されたときの断面図である。
【図７】第３の実施形態による操作釦の図１のVII−VII線での断面図である。
【図８】図１のVII−VII線における操作釦の斜視分解断面図である。
【図９】第４の実施形態による操作釦の図１のVIII−VIII線での断面図である。
【符号の説明】
【００５２】
１００  カメラ
２００  操作ボタン
２１０  押圧部材
２１３  釦軸
２１４  当付部
２２０  弾性部材
２２２  支持リブ
２３０  支持部材
２４０  プッシュスイッチ
【図１】
0004960779.tif 000002
【図２】
0004960779.tif 000003
【図３】
0004960779.tif 000004
【図４】
0004960779.tif 000005
【図５】
0004960779.tif 000006
【図６】
0004960779.tif 000007
【図７】
0004960779.tif 000008
【図８】
0004960779.tif 000009
【図９】
0004960779.tif 000010